(57)【要約】【課題】水栓を壁面より突出させて取り付ける構造において、少ない部材、少ないスペースで、取付作業やメンテナンスが容易で、見映えが良い取付構造を提供することを目的とする。【解決手段】前面に水栓取付部２７と両側面に作業開口２８と背面に壁面取付部２６を備えた取付台２４と、前記取付台２４を覆い前面に水栓取付穴と側面に作業穴３１を設けたカバー２２を備え、水栓２１を前記カバー２２の水栓取付穴を介して前記水栓取付部２７に取り付け、前記作業穴３１を閉塞する蓋３２を備えることにより、少ない部材、少ないスペースで水栓を壁面から突出して取り付けることができる。【選択図】図３
2005240355.tif 000002
【特許請求の範囲】
【請求項１】
前面に水栓取付部と両側面に作業開口と背面に壁面取付部を備えた取付台と、前記取付台を覆い前面に水栓取付穴と側面に作業穴を設けたカバーを備え、水栓を前記カバーの水栓取付穴を介して前記水栓取付部に取り付け、前記作業穴を閉塞する蓋を備えた水栓の取付構造。
【請求項２】
カバーの取付位置を調整可能とする調整機能を備えた請求項１に記載の水栓の取付構造。
【請求項３】
蓋はカバーに着脱自在に取り付ける構成の請求項１または２に記載の水栓の取付構造。
【請求項４】
取付台は耐蝕性を備えた金属で形成した請求項１〜３のいずれか１項に記載の水栓の取付構造。
【請求項５】
カバーを樹脂材料で一体で形成した請求項１〜４のいずれか１項に記載の水栓の取付構造。
【発明の詳細な説明】
【技術分野】
【０００１】
本発明は浴室の壁面より突出して水栓を設置する取付構造に関するものである。
【背景技術】
【０００２】
従来、この種の水栓の取付構造は、カウンターの前端から垂下して設置した前板に水栓を取り付け、前板の下端と床面の間に下部前板を設け配管等を隠蔽する構造をしている（例えば、特開文献１参照）。
【０００３】
図６は、特許文献１に記載された従来の水栓の取付構造を示すものである。図６に示すように、浴室の１辺に設置したカウンター１と、カウンター１の前端下部に洗い場２の全幅に亘って設置した前板３と、前板３の前面に取り付けた水栓４と、前板３の下部に着脱自在に設置した下部前板５から構成されている。
【特許文献１】特開平１０−１９８４号公報
【発明の開示】
【発明が解決しようとする課題】
【０００４】
しかしながら、前記従来の構成では、水栓を取り付ける前板は洗い場の全幅に亘って設置されており、また下部前板も前板の下端から床面まで洗い場の全幅に亘って設置された構成なので、水栓取付部の周辺に必要以上のスペースを使用し、洗い場のスペースを狭くするという課題を有していた。
【０００５】
本発明は、前記従来の課題を解決するもので、水栓を壁面より突出させて取り付ける構造において、少ないスペースで、取付作業やメンテナンスが容易で、見映えが良い取付構造を提供することを目的とする。
【課題を解決するための手段】
【０００６】
前記従来の課題を解決するために、本発明の水栓の取付構造は、前面に水栓取付部と両側面に作業開口と背面に壁面取付部を備えた取付台と、前記取付台を覆い前面に水栓取付穴と側面に作業穴を設けたカバーを備え、水栓を前記カバーの水栓取付穴を介して前記水栓取付部に取り付け、前記作業穴を閉塞する蓋を備えた水栓の取付構造としたものである。
【０００７】
これによって、少ない部材、少ないスペースで浴室の壁面より突出して水栓を取り付けることができ、また作業開口から水栓の取付作業やメンテナンスの作業を楽に行うことができるものである。
【発明の効果】
【０００８】
本発明の水栓の取付構造は、少ない部材、少ないスペースで、水栓を壁面から離して使いやすい位置に設置することができ、しかも取付作業やメンテナンス容易にできる水栓の取付構造を提供することができる。
【発明を実施するための最良の形態】
【０００９】
第１の発明は前面に水栓取付部と両側面に作業開口と背面に壁面取付部を備えた取付台と、前記取付台を覆い前面に水栓取付穴と側面に作業穴を設けたカバーを備え、水栓を前記カバーの水栓取付穴を介して前記水栓取付部に取り付け、前記作業穴を閉塞する蓋を備えた水栓の取付構造とすることにより、少ない部材、少ないスペースで水栓を浴室の壁面より突出して取り付けることとなり、水栓を使いやすい位置に設置することができ、しかも取付作業やメンテナンスが容易にできる水栓の取付構造を提供することができる。
【００１０】
第２の発明は、特に第１の発明のカバーの取付位置を調整可能とする調整機能を備えたことにより、壁面および水栓の空間にカバーを設けた場合に生じる隙間を水栓取付後も調整でき、施行仕上がりが向上し、かつ外観を向上できる。
【００１１】
第３の発明は、特に第１または第２の発明の蓋をカバーに着脱自在に取り付ける構成としたにより、容易に作業穴を開閉することが可能であり、しかも壁面および水栓の空間にカバーを設けた場合に生じる隙間を水栓取付後に調整しても、蓋がカバーとともに移動され、蓋とカバーの良好な嵌合位置が保持され、外観性を維持できる。
【００１２】
第４の発明は、特に第１〜３のいずれか１つの発明の取付台を耐蝕性を備えた金属で形成することにより、水栓の取付に必要な強度を確保し、なおかつ水や蒸気による腐食を防止することとなり、強度と耐久性を容易に確保することができる。
【００１３】
第５の発明は、特に第１〜４のいずれか１つの発明のカバーを樹脂材料で一体で形成することにより、カバーの外観形状の自由度と耐水性を高めることとなり、使い勝手の良い形状に形成することができ、しかも耐久性も高めることができる。
【００１４】
（実施の形態１）
図１は、本発明の第１の実施の形態における水栓取付構造を用いたシステムバスの正面図を示すものである。
【００１５】
図１において、システムバス１０は洗い場１１と浴槽１２を保持する浴槽パン１３との上に壁１４が立ち、その上に天井１５設けて浴室を形成している。ドア１６は脱衣場所により位置が変えられる。
【００１６】
システムバス内には鏡１７、小物棚１８、ユニットの壁の一辺にわたるミドルカウンター、洗面器置き台をかねるローカウンター２０が壁１４に取り付けられている。水栓２１はハンドシャワーおよびカランからの吐水を行うものであり、水栓２１と壁１４の間には内部の配管（図示せず）を隠蔽するためのカバー２２が設けられている。噴霧状のお湯を吐出するミストサウナ２３への流路もカバー２２内を通過している。
【００１７】
図２は、水栓２１および水栓カバー２２の斜視図であり、水栓２１にはカラン吐水ボタン２１ａとシャワー吐水ボタン２１ｂが設けてあり、それぞれのボタンを押すことで、カランおよびシャワーの弁の開閉を行える構成となっている。温調ハンドル２１Ｃは、カランおよびシャワーのと水温度の調整を行うものである。
【００１８】
図３から図５は水栓２１およびカバー２２の組み立てて順を示す斜視図である。図３において、取付台２４および２５は、壁１４に壁面取付部２６をネジ止めされるとともに、コの字状に曲げ加工された水栓取付部２７もネジ止めされている。作業開口２８は取付台２４、２５にそれぞれ設けてあり、左右どちらからも作業可能となっている。ここで、取付台２４、２５は、作業開口２８を設けるとともに水栓にかかる荷重を受けるため、耐食性および強靭性の高い金属材料であるステンレスで構成して、コンパクトかつ高強度で、腐食に強い性能を有するものである。
【００１９】
水栓２１はカバー２２の水栓取付穴（図示せず）を介して、水栓取付部２７の水栓固定穴２７ａに固定されるが、カバー２２は取付台２４、２５にカバー固定穴２９を介してネジ止めされるが、カバー固定穴２９は、長穴形状でありカバー２２と壁１４および水栓２１の間の隙間を調整できるようになっている。また、図４に示すようにカバー２１と取付台２４，２５の間に図の矢印Ａで示すようにスペーサー３０を介挿することで、横方向への調整も可能にしており、水栓２１と水栓取付部２７を固定した状態でカバー２１を調整できるので、施工正を向上できるとともに、外観向上を図ることができる。
【００２０】
カバー２２の両側面には作業開口２８と略同形状の作業穴３１が設けてあり、作業開口２８から水栓２１と水栓取付部２７の固定や配管（図示せず）の接続作業を両側から行えるようになっているので、施工者が両側から両手を使って作業でき、作業性やメンテナンス性を向上できる。
【００２１】
本構成においては、カバー２２は樹脂成形品で構成されており、複雑な形状を実現するとともに外観を向上し、さらに金属の作業開口２８の３辺よりも若干、作業穴３１を小さくすることで金属端面への作業時の接触を防ぎ、安全性も向上している。
【００２２】
蓋３２は、図５に示すように、作業開口２８、作業穴３１、カバー２１の取付ネジを隠す形状となっており、図の矢印Ｂで示すようにカバー２２の蓋取付穴３３に横方向から差込み、下方に押し下げることにより取り付けることができ、取り外しは取り付けと逆の方法で容易に行うことができる。このとき、蓋３２はカバー２２に取り付ける構成としているので、カバー２２の位置調整に伴う蓋３２の位置ずれが起こらず、外観を向上できるとともに、簡単に作業できるようにしている。
【産業上の利用可能性】
【００２３】
以上のように、本発明にかかる水栓の取付構造は、少ない部材、少ないスペースで、水栓を壁面から離して使いやすい位置に設置することができ、しかも取付作業やメンテナンス容易にできる水栓の取付構造を提供することが可能となるので、キッチン、洗面所等の水栓を使用する全ての水回り設備の用途にも適用できる。
【図面の簡単な説明】
【００２４】
【図１】本発明の実施の形態１における水栓の取付構造を設置したシステムバスの正面図
【図２】本発明の実施の形態１における水栓の取付構造の斜視図
【図３】本発明の実施の形態１における水栓の取付構造の斜視図
【図４】本発明の実施の形態１における水栓の取付構造の斜視図
【図５】本発明の実施の形態１における水栓の取付構造の斜視図
【図６】従来の水栓取付構造を示す斜視図
【符号の説明】
【００２５】
２１  水栓
２２  カバー
２４、２５  取付台
２６  壁面取付部
２７  水栓取付部
２８  作業開口
３１  作業穴
３２  蓋
【図１】
2005240355.tif 000003
【図２】
2005240355.tif 000004
【図３】
2005240355.tif 000005
【図４】
2005240355.tif 000006
【図５】
2005240355.tif 000007
【図６】
2005240355.tif 000008